(57)【要約】【課題】  必要な情報を消去せずに、パスワードを忘れてしまったとしてもプリンタを使用でき、他人に成り済まして、他人のデータを見ることのできない印刷装置、印刷装置の設定値の設定方法を提供することを目的とする。【解決手段】  制御手段１３の制御によって、操作入力手段１４から入力されるパスワードに応じて印刷装置の設定を変更でき、さらに、所定の入力操作によって、印刷装置の設定を予め記憶されている値に書き換える制御を行う。【選択図】  図１
2008155495.tif 000002
【特許請求の範囲】
【請求項１】
項目毎に設定された設定値に基づいて動作する印刷装置であって、
前記項目に対応した前記設定値を記憶する設定値記憶手段と、
少なくとも前記項目または前記設定値を表示する表示手段と、
パスワードの入力と前記項目の選択をする入力手段と、
前記設定値に基づいて前記印刷装置を制御する制御手段と、
前記項目の初期値を記憶する初期値記憶手段と、を有し、
前記設定値は属性値とデータを有し、
前記項目は少なくともパスワードを前記データとして有するパスワード項目を有し、前記パスワード項目の前記データには第一のパスワードが記憶され、
前記初期値記憶手段には前記パスワード項目の前記データの初期値として第二のパスワードが記憶され、
前記制御手段は、前記入力手段からパスワードが入力されたときに、前記入力手段から入力された前記パスワードと前記第一のパスワードとを比較して一致した場合は、前記属性によらず前記項目を選択可能に制御をし、前記入力手段から入力された前記パスワードと前記第二のパスワードとを比較して一致した場合は、前記項目ごとに設定されている前記属性値に基づいて、前記項目を選択可能に制御をし、前記いずれの場合であってもパスワード入力後に前記入力手段から所定の入力がされたときに、前記属性によらず、前記データを前記初期値記憶手段に記憶されている値に書き換える制御をすることを特徴とする印刷装置。
【請求項２】
前記設定値記憶手段は、前記項目ごとに、前記データのリード可否の属性値、前記データのライトの可否の属性値、前記データが記憶されていることを特徴とする請求項１に記載の印刷装置。
【請求項３】
前記入力手段は、前記制御手段に接続された通信インターフェースであり、前記通信インターフェースを介して接続されたコンピュータからパスワードの入力をすることを特徴とする請求項１に記載の印刷装置。
【請求項４】
前記設定値は通信インターフェースを介して接続されるときに用いる機器の固有値を有することを特徴とする請求項１に記載の印刷装置。
【請求項５】
前記データは機器を制御する処理の命令を有することを特徴とする請求項１に記載の印刷装置。
【請求項６】
前記入力手段が、前記通信インターフェース介して接続されたパソコンであることを特徴とする請求項４に記載の印刷装置。
【請求項７】
前記表示手段が、前記通信インターフェース介して接続されたパソコンであることを特徴とする請求項４に記載の印刷装置。
【請求項８】
項目毎に設定された設定値に基づいて動作する印刷装置であって、
前記項目に対応して前記設定値を記憶する設定値記憶手段と、
前記項目あるいは前記設定値を表示する表示手段と、
パスワードの入力または項目の選択をする入力手段と、
前記属性値に基づいて前記印刷装置を制御する制御手段と、
前記項目の初期値を記憶する初期値記憶手段と、を有し、
前記設定値は属性値とデータを有し、
前記項目は少なくともパスワードを前記データとして有するパスワード項目を有し、前記パスワード項目の前記データには第一のパスワードが記憶され、
前記初期値記憶手段には前記パスワード項目の前記データの初期値として第二のパスワードが記憶されている印刷装置の前記設定値の設定方法であって、
前記入力手段からパスワードが入力されたときに、前記パスワードと前記第一のパスワードとを比較して一致した場合は、前記属性によらず前記項目を選択可能に制御するステップと、
前記パスワードと前記第二のパスワードとを比較して一致した場合は、前記項目ごとに設定されている前記属性に基づいて、前記項目を選択可能に制御するステップと、
前記いずれのステップの後であっても、前記パスワード入力後に前記入力手段から所定の入力がされたときに、前記属性によらず、前記データを前記初期値記憶手段に記憶されている値に書き換えるステップと、を有することを特徴とする印刷装置の設定方法。
【発明の詳細な説明】
【技術分野】
【０００１】
本発明は、設定値に基づいて動作するプリンタなどの印刷装置、印刷装置の設定値の設定方法に関する。
【背景技術】
【０００２】
プリンタなどの印刷装置やパーソナルコンピュータの操作を特定の管理者だけにさせることができるようにするため、操作者が管理者であると認識するため特定のパスワードを入力させ、あらかじめ記憶している管理者のパスワードと入力したパスワードが一致した場合に操作が可能となる構成のプリンタやパーソナルコンピュータが提供されている。
【０００３】
また、電池を外した時に、メモリに記憶されているパスワード情報を含む情報を消去する構成や、パスワード情報のみをシステム起動時にパスワードクリアキーを押下した際に消去するパスワード情報の消去方法が、特許文献１に開示されている。
【特許文献１】特開平４−３０２３４０号公報
【発明の開示】
【発明が解決しようとする課題】
【０００４】
上述の従来技術においては、電池を取り外すことで、メモリに記憶されている情報が全て消去され、必要なものは一旦バックアップし、元に戻すという行為が必要であった。また、パスワード情報クリアキーを設け、システム起動時にパスワード情報クリアキーの押下を検出したときにパスワードのみを消去した場合に、パスワードを知らない人が、新たにパスワードを設定して、成り済まし、後に残ったパスワード以外の情報を見たり、使ったりするという課題があった。
【０００５】
そこで、本発明は必要な情報を消去せずに、パスワードを忘れてしまったとしてもプリンタを使用でき、他人に成り済まして、他人のデータを見ることのできない印刷装置、印刷装置の設定値の設定方法を提供することを目的とする。
【課題を解決するための手段】
【０００６】
本発明の第１の態様は、項目毎に設定された設定値に基づいて動作する印刷装置であって、前記項目に対応した前記設定値を記憶する設定値記憶手段と、少なくとも前記項目または前記設定値を表示する表示手段と、パスワードの入力と前記項目の選択をする入力手段と、前記設定値に基づいて前記印刷装置を制御する制御手段と、前記項目の初期値を記憶する初期値記憶手段と、を有し、前記設定値は属性値とデータを有し、前記項目は少なくともパスワードを前記データとして有するパスワード項目を有し、前記パスワード項目の前記データには第一のパスワードが記憶され、前記初期値記憶手段には前記パスワード項目の前記データの初期値として第二のパスワードが記憶され、前記制御手段は、前記入力手段からパスワードが入力されたときに、前記入力手段から入力された前記パスワードと前記第一のパスワードとを比較して一致した場合は、前記属性によらず前記項目を選択可能に制御をし、前記入力手段から入力された前記パスワードと前記第二のパスワードとを比較して一致した場合は、前記項目ごとに設定されている前記属性値に基づいて、前記項目を選択可能に制御をし、前記いずれの場合であってもパスワード入力後に前記入力手段から所定の入力がされたときに、前記属性によらず、前記データを前記初期値記憶手段に記憶されている値に書き換える制御をすることを特徴とする印刷装置である。
【０００７】
本態様によれば、第一のパスワードを忘れたとしても、第二のパスワードで所定の項目が操作でき、また、必要な場合には所定の操作をすることで、予め決められた値に設定値が書き換わるので、第一のパスワードでしか見たり書き換えたりすることができない項目においても、他人に知られることが無く書き換わり、印刷装置も使用することができる。
【０００８】
本発明の第２の態様は、上記第１の態様において、前記設定値記憶手段は、前記項目ごとに、前記項目のデータのリード可否の属性値、前記項目のデータのライトの可否の属性値、前記項目のデータが記憶されていることを特徴とする印刷装置である。
【０００９】
本態様によれば、項目ごとに属性値、データを設定値記憶手段に記憶しているので、項目ごとに制御をすることができる。
本発明の第３の態様は、上記第１の態様において、前記入力手段は、前記制御手段に接続された通信インターフェースであり、前記通信インターフェースを介して接続されたコンピュータからパスワードの入力をすることを特徴とする印刷装置である。
【００１０】
本態様によれば、印刷装置の外部から通信によってパスワードを入力することで、ユーザーが印刷装置から離れていても操作することができる。
【００１１】
本発明の第４の態様は、上記第１の態様において、前記設定値は通信インターフェースを介して接続されるときに用いる機器の固有値を有することを特徴とする印刷装置である。
【００１２】
本態様によれば、予め通信を行うときに用いる外部機器を特定することができるので通信の操作が容易となる。
【００１３】
本発明の第５の態様は、上記第１の態様において、前記データは機器を制御する処理の命令を有することを特徴とする印刷装置である。
【００１４】
本態様によれば、設定することのできるデータが印刷装置を制御する処理の命令とすることで、予め決められたファンクション操作を容易に行うことができる。
【００１５】
本発明の第６の態様は、上記第４の態様において、前記入力手段が、前記通信インターフェース介して接続されたパソコンであることを特徴とする印刷装置である。
【００１６】
本態様によれば、外部機器のパソコンにより遠隔操作ができる。
【００１７】
本発明の第７の態様は、上記第４の態様において、前記表示手段が、前記通信インターフェース介して接続されたパソコンであることを特徴とする印刷装置である。
【００１８】
本態様によれば、外部機器のパソコンにより遠隔操作ができる。
【００１９】
本発明の第８の態様は、項目毎に設定された設定値に基づいて動作する印刷装置であって、前記項目に対応して前記設定値を記憶する設定値記憶手段と、前記項目あるいは前記設定値を表示する表示手段と、パスワードの入力または項目の選択をする入力手段と、前記属性値に基づいて前記印刷装置を制御する制御手段と、前記項目の初期値を記憶する初期値記憶手段と、を有し、前記設定値は属性値とデータを有し、前記項目は少なくともパスワードを前記データとして有するパスワード項目を有し、前記パスワード項目の前記データには第一のパスワードが記憶され、前記初期値記憶手段には前記パスワード項目の前記データの初期値として第二のパスワードが記憶されている印刷装置の前記設定値の設定方法であって、前記入力手段からパスワードが入力されたときに、前記パスワードと前記第一のパスワードとを比較して一致した場合は、前記属性によらず前記項目を選択可能に制御するステップと、前記パスワードと前記第二のパスワードとを比較して一致した場合は、前記項目ごとに設定されている前記属性に基づいて、前記項目を選択可能に制御するステップと、前記いずれのステップの後であっても、前記パスワード入力後に前記入力手段から所定の入力がされたときに、前記属性によらず、前記データを前記初期値記憶手段に記憶されている値に書き換えるステップと、を有することを特徴とする印刷装置の設定方法である。
【００２０】
本態様によれば、第一のパスワードを忘れたとしても、第二のパスワードで所定の項目が操作でき、また、必要な場合には所定の操作をすることで、予め決められた値に設定値が書き換わるので、第一のパスワードでしか見たり書き換えたりすることができない項目においても、他人に知られることが無く書き換わり、印刷装置も使用することができる。
【発明の効果】
【００２１】
本発明によれば、管理者用パスワードを失念したとしても、初めて使用する時の状態に戻すことができるので、例えば、他の誰にも知られたくないデータ、例えば、他のＩＤのパスワードや、設定情報などを、他人に見られることなく消去することができる。
【００２２】
また、誰にでも操作可能なので、パスワードを忘れたときにメーカーのサービスマンに復活の為の特別な操作をしてもらうまでもなく、ユーザー自身の操作によって、最低限使用可能な状態である初めて使用する時の状態に戻すことができる。
【発明を実施するための最良の形態】
【００２３】
以下本発明の実施の形態を図面に基づき説明する。
【００２４】
図１は、本発明の実施の形態に係る印刷装置のブロック図である。パソコン１、パソコン２、パソコン３、パソコン４がネットワーク５を介して印刷装置の通信インターフェース６の第１ポート７に接続されている。通信インターフェース６は複数のシリアルポートあるいはパラレルポートから構成される。これらのポートは種類が異なってもよい、例えば、第１ポート７はネットワーク接続ポート、第２ポート８はセントロニクスポート、第３ポートはＵＳＢポートなどである。通信インターフェース６は外部機器とデータの入出力を行うので一種の入出力手段ともなる。パソコン３は第２ポート８、パソコン４は第３ポート９と直接接続している。
【００２５】
制御手段１３は印刷装置全体の制御をメモリ１０に記憶されているプログラムに従って行う。メモリ１０はＲＯＭとＲＡＭとからなり、プログラムの他に、制御手段１３が動作するときのデータの一次的な記憶、プログラムが動作するための作業エリアとなる。スキャナ１１は紙などに印刷された画像を画像データに変換し、制御手段１３に送信する画像読み取り装置である。プリンタ１２は画像データに基づき紙などへ画像を印刷する装置である。
【００２６】
操作入力手段１４は設定値などを入力するスイッチなどの入力手段である。表示手段１５は設定値や設定項目や画像データなどを表示するＬＣＤなどの表示手段である。設定値記憶手段１６はさまざまな項目と対応した設定値を記憶する記憶手段である。初期値記憶手段１７は、設定値記憶手段１６に記憶される全ての設定値の初期値を項目に対応させて記憶する記憶手段である。これらの記憶手段はフラッシュメモリで構成され、ＥＥＰＲＯＭのような読み書き可能なＲＯＭでもよい。操作入力手段１４で入力された値や、プログラムによって指定された値などによって設定値記憶手段１６に記憶されている設定値を書き換えることができる。また、設定値記憶手段１６と初期値記憶手段１７をメモリ１０内にエリアを設けて構成することができる。
【００２７】
ここで、制御手段１３は通信インターフェース６を介して、外部機器であるパソコン１（あるいは他のパソコンでもよい）とデータの送受信が可能となっている。操作入力手段１４と制御手段１３間で行うデータの送受信と同等のことを制御手段１３は通信インターフェース６を介して、外部機器であるパソコン１（あるいは他のパソコンでもよい）と行うことが可能である。また、表示手段１５と制御手段１３間で行うデータの送受信と同等のことを、制御手段１３は通信インターフェース６を介して、外部機器であるパソコン１（あるいは他のパソコンでもよい）と行うことができる。パソコン１（あるいは他のパソコンでも良い）上で操作入力手段１４あるいは表示手段１５のように、入力や表示が可能である。
【００２８】
図３は本発明の実施の形態に係る印刷装置の操作パネルの一例である。操作パネル２４は、各種表示を行うＬＣＤパネル２５、各種入力操作を行う操作スイッチ２６から構成されている。操作スイッチ２６は、画面の上方向に対応した上スイッチ２７、下方向に対応した下スイッチ２８、左方向に対応した左スイッチ２９、右方向に対応した右スイッチ３０、入力した値のキャンセルを行うキャンセルスイッチ３１、入力した値の決定を行う決定スイッチ３２から構成される。
【００２９】
図２は本発明の実施の形態に係る印刷装置の設定項目と属性をあらわすメモリの構成図である。項目１８の列は設定する項目である。設定Ａから設定Ｅまでの複数の項目があることを表している。各項目に対応して設定値が記憶される。項目リード１９は項目ごとに、その項目をリード可能な属性に対応する属性値が記憶されている。設定Ａは属性値として２が記憶され、これはランク２以上の属性のものがリード可能であることをあらわしている。ここで、項目、属性、データの読み書きを、操作者に応じてランク分けして操作限定している。ランクの判断はパスワードの入力と予め記憶されたパスワードの比較により行われる。例えば、器機の管理者はランク２、一般ユーザーをランク１とし、管理者は管理者用のパスワードを入力することで管理者が操作可能な機能を使うことができる。誰でも自由に機器を操作できないので器機のセキュリティーが向上する。
【００３０】
同様に、設定Ｂは属性値が１なのでランク１以上の者が、設定Ｃは属性値が１なのでランク１以上の者が、設定Ｄは属性値が１なのでランク１以上の者が、設定Ｅは属性値が１なのでランク１以上の者がそれぞれの項目をリードすることが可能な設定である。
【００３１】
データリード２０は項目ごとに、その項目のデータをリード可能な属性の属性値が記憶されている。ここでは、設定Ａは属性値として２が記憶され、これはランク２以上の属性のものが設定Ａの内容をリード可能であることをあらわしている。同様に設定Ｂはランク１以上、設定Ｃはランク１以上、設定Ｄはランク２以上が操作可能である。設定Ｅは値が０なのでいずれのランクによっても項目のデータをリードできない設定である。
【００３２】
データライト２１は項目ごとに、その項目のデータをライト可能な属性の属性値が記憶されている。ここでは、設定Ａは属性値として２が記憶され、これはランク２以上の属性のものが設定Ａのデータをライト可能であることをあらわしている。同様に設定Ｂはランク１以上、設定Ｃはランク２以上、設定Ｄはランク２以上が、各項目のデータをライトできる設定である。設定Ｅは属性値が０なのでだれもライトできない。
【００３３】
データ２２は項目ごとに、その項目に対応するデータが記憶されている。ここでは、設定ＡはデータＡ、設定ＢはデータＢ、設定ＣはデータＣ、設定ＤはデータＤ、設定Ｅは印刷装置のファンクションＥの機能を実行する命令であるファンクションＥ実施が記憶されている。データ２２はデータライト２１で設定されているランクのもが書き換え可能である。
【００３４】
項目ごとに、その項目に対応するデータをリード可能、あるいはライト可能である属性値（項目リード１９、データリード２０、データライト２１）とデータ２２を記憶している。さらに、初期値データ２３は各項目の初期値を記憶している。設定Ａに対応する初期値データは初期値Ａである。設定Ｂに対応する初期値データは初期値Ｂである。設定Ｃに対応する初期値データは初期値Ｃである。設定Ｄに対応する初期値データは初期値Ｄである。設定Ｅに対応する初期値データはファンクションＥ実施である。この初期値データ２３は初期値記憶手段１７に対応する。初期値記憶手段１７は設定値記憶手段１６の設定値の一つであるとすることもできる。
【００３５】
また例えば、設定Ａは管理者用の第一のパスワードを記憶することができる。そうすることで、この第一のパスワードを知っている者しか設定ＡのデータＡを読み書きできない。また、設定Ｃのように、誰にでも見ることができるが、管理者しか内容を書き換えられないものとして、印刷装置のＩＰアドレスなどの機器固有の番号を記憶する。ユーザーが見て確認できるが管理者しか書き込めないので、単なるユーザーは印刷装置のＩＰアドレスを勝手に書き換えできないので器機のセキュリティーが向上する。また、設定Ｅの別の具体例として、設定項目の一覧の印刷、セルフプロットの実行など印刷装置のファンクションの実施をする命令などがある。
【００３６】
次に、本発明の動作について図４〜図７を用いて説明する。図４は、本発明の実施の形態に係る印刷装置のパスワードの入力のフローチャートである。項目の設定を変更するときに、操作するユーザーが管理者であることをパスワードの入力によって判断する処理に関してのフローチャートである。処理のスタート（ステップ３１）から処理が開始される。
【００３７】
まず、管理者であるか否かを判断する為に、ＬＣＤパネル２５に「パスワードを入力してください」とメッセージが表示され、その後、パスワードの入力待ちとなる（ステップ３２）。
【００３８】
パスワードが入力されると、そのパスワードが予め設定値記憶手段１６に記憶されている設定値と比較し、一致（Ｙｅｓ）する場合と、不一致（Ｎｏ）の場合とで続く処理を異ならせる（ステップ３３）。ここで、項目１８の設定Ａが管理者のパスワードに関する項目であり、この項目のデータＡが管理者のパスワードのデータであるとする。入力されたパスワードとデータＡを比較し、一致した場合は操作したものが管理者であると判断し、不一致の場合は管理者でないと判断する。
【００３９】
ステップ３３で管理者であると判断した場合（Ｙｅｓの場合）は、操作限定をランク２に設定する。具体的にはメモリ１０の所定の場所の操作限定フラグを”２”に設定する（ステップ３４）。
【００４０】
ステップ３３で管理者では無いと判断した場合（Ｎｏの場合）は、入力されたパスワードが設定Ａの初期値と比較され、一致の場合と不一致の場合とて続く処理を異ならせる（ステップ３５）。ここで、設定Ａの初期値とは、初期値データ２３の初期値Ａであり、管理者が独自のパスワードを最初に設定する前に予め初期値として設定されているパスワードであり、また対応する初期値は初期値記憶手段１７に記憶されている。ここで例えば、初期値Ａの値を”０”とする。
【００４１】
入力されたパスワードと”０”を比較し、一致していれば、操作限定をランク１のものに設定する。具体的にはメモリ１０の所定の場所の操作限定フラグを”１”に設定する（ステップ３６）。
【００４２】
入力されたパスワードと”０”を比較し、不一致であれば、再びパスワード入力待ち（ステップ３２）へもどる（ステップ３５）。ステップ３４またはステップ３６が終了すると処理が終了する（ステップ３７）。
【００４３】
以上のように、操作入力手段１４で入力したパスワードと予め記憶されている所定の項目のデータである管理者のパスワードを上述のように比較手段で比較し、操作するものが管理者なのかそうでないのか、あるいは、操作するものがどの属性に対応するのかを判断して、メモリ１０に対応する値を記憶する。
【００４４】
図５は、本発明の実施の形態に係る印刷装置の制限されたモードの遷移のフローチャートである。項目の設定を書き換えするとき、操作するユーザーのランクに応じて見ることのできる項目が変わる動作に関してのフローチャートである。処理のスタート（ステップ３８）から処理が開始される。
【００４５】
設定したい項目を選択するために、操作入力手段１４から入力があるまで、設定操作待ち処理で待つ（ステップ３９）。上スイッチ２７、下スイッチ２８のスイッチ操作がされ入力があると、それにより選ばれた項目が表示可能か否かを、項目の属性と操作者のランクを比較する（ステップ４０）。比較の結果、一致した場合はその項目を表示する（ステップ４１）。表示を行ったらこの処理は終了する（ステップ４３）。不一致の場合は次の項目を選択してステップ４０に戻して再度比較処理を行う（ステップ４２）。項目の属性と操作者のランクを比較は、選択された項目１８の属性である項目リード１９の値と、入力されたパスワードによってメモリ１０の所定の場所の操作限定フラグに記憶された値を比較することで行われる。例えば、選択された項目が設定Ｂで操作限定フラグの値が１である場合は、操作限定フラグの値が設定Ｂの項目リードの値以上なので、その項目を表示することができる。選択された項目が設定Ａで操作限定フラグの値が１である場合は、操作限定フラグの値が設定Ａの項目リードの値未満なので、その項目を表示せず、項目を設定Ｂ、あるいは設定Ｅとして、再度比較を行う。項目を設定Ｂ、あるいは設定Ｅとなるのは、操作入力手段１４のスイッチ操作による入力が、上スイッチ２７の場合は設定Ｅとなり、下スイッチ２８の場合は設定Ｂとなるためである。
【００４６】
モードの遷移を図７のモード遷移図を使って説明する。図７は、本発明の実施の形態に係る印刷装置の設定項目のモード遷移図である。図７（ａ）は管理者用のバスワードつまりランク２のパスワードが入力された場合のモードの遷移図である。図２の項目リード１９ではランク２のものは設定Ａ〜設定Ｅまで全ての項目でリード可能に設定されている。パスワードを入力して操作者がランク２と判断された状態で、下スイッチ２８を押下する度に、図７（ａ）に示すように設定Ａ、設定Ｂ、設定Ｃ、設定Ｄ、設定Ｅ、設定Ａとモードが遷移する。上スイッチの２７を押下したときはこの逆の順でモードが遷移する。図２の項目リード１９ではランク１のものは設定Ｂ〜設定Ｅまでの項目をリード可能と設定されている。パスワードを入力して操作者がランク１と判断された状態で、下スイッチ２８を押下するたびに、図７（ｂ）に示すように設定Ｂ、設定Ｃ、設定Ｄ、設定Ｅ、設定Ｂとモードが遷移する。上スイッチの２７を押下したときはこの逆の順でモードが遷移する。
【００４７】
また、表示された項目に対しては、左スイッチ２９、右スイッチ３０、キャンセルスイッチ３１、決定スイッチ３２の操作と、属性のデータリード２０、データライト２１の値を判断することによって、データ２２の書き換えをする。データライトが可能なランクのときに左スイッチ２９、右スイッチ３０を操作することで、値が変化し、決定スイッチ３２で値を決定する。決定した値は設定値記憶手段１６の対応するデータに記憶される。データライトが可能なランクは、データライト２１の属性値とメモリ１０に記憶されている操作限定フラグの値を比較し、データライト２１の属性値以上の操作限定フラグの値であればデータライト可能であると判断する。項目に対応するデータを見る場合も、データリード２０の属性値以上の操作限定フラグの値であれば、データを読み出すことができ、読み出したデータをＬＣＤパネル２５に表示する。
【００４８】
次に、属性に関係なく設定値を書き換える処理に関してフローチャートを使って説明する。図６は、本発明の実施の形態に係る印刷装置の設定値の書き換えのフローチャートである。例えば、操作者のランクに関係なく、項目１８の設定Ｅのように誰でも見ることができ、データ２２に印刷装置のファンクションを実施する命令で構成されている項目がある。設定Ｅに対応するファンクションＥは、初期値記憶手段１７に記憶された値によって設定値記憶手段１６に記憶される設定値を書き換えるファンクションの実施をする命令である。図６のフローチャートはこのファンクションを実施する処理を実行したときのフローである。設定Ｅが選択され、決定スイッチ３２が押下されると、ファンクションＥが実施され、処理がスタートする（ステップ４４）。選択された設定の命令に対応したファンクションの実施の処理を選択する（ステップ４５）。選択された項目のファンクションがファンクションＥ実施であったならば、初期値記憶手段１７に記憶されている全ての項目ごとの設定値の全ての初期値を読み出して、設定値記憶手段１６の対応する項目の設定値として書き込む（ステップ４６）。選択されたファンクションが他のファンクションであれば、例えば項目の印刷やセルフプロットの実施、そのファンクションを実施する（ステップ４７）。ファンクションの実施処理が終了すると処理が終了する（ステップ４８）。このように、設定値としてファンクションの実施が設定されていた場合、印刷装置に対して、ファンクションを実施する制御を制御手段１３が行う。
【図面の簡単な説明】
【００４９】
【図１】本発明の実施の形態に係る印刷装置のブロック図である。
【図２】本発明の実施の形態に係る印刷装置の設定項目と設定値をあらわすメモリの構成図である。
【図３】本発明の実施の形態に係る印刷装置の操作パネルの一例である。
【図４】本発明の実施の形態に係る印刷装置のパスワードの入力のフローチャートである。
【図５】本発明の実施の形態に係る印刷装置の制限されたモードの遷移のフローチャートである。
【図６】本発明の実施の形態に係る印刷装置の設定値の書き換えのフローチャートである。
【図７】本発明の実施の形態に係る印刷装置の設定項目のモード遷移図である。
【符号の説明】
【００５０】
１、２、３、４  パソコン
２３  操作パネル
２５  ＬＣＤディスプレイ
２６  キースイッチ
【図１】
2008155495.tif 000003
【図２】
2008155495.tif 000004
【図３】
2008155495.tif 000005
【図４】
2008155495.tif 000006
【図５】
2008155495.tif 000007
【図６】
2008155495.tif 000008
【図７】
2008155495.tif 000009